(57)【要約】【課題】メモリ性表示パネルを利用した携帯型情報機器の電力消費を低減すること。【解決手段】腕時計１は、メモリ性を有する表示パネル５と、表示パネル５の駆動を制御する表示駆動部６２とを備える。表示駆動部６２は、表示パネル５の表示を第１時間間隔で書き換える第１表示情報制御部６２１と、第１時間間隔よりも長い第２時間間隔で書き換える第２表示情報制御部６２２とを備える。表示駆動部６２は、通常表示モードでは、第２表示情報制御部６２２によって第２表示情報を表示し、通常表示モードに比べて動作時間の短い短期表示モードでは、第１表示情報制御部６２１によって第１表示情報を表示する。通常は、消費電力の少ない第２表示情報を表示しているので、腕時計１を省電力化できる。また、必要に応じて第１表示情報を表示でき、２種類の表示を切り替えて利用できるので利便性を向上できる。【選択図】図２
2008157889.tif 000002
【特許請求の範囲】
【請求項１】
メモリ性を有する表示パネルと、
この表示パネルの駆動を制御する表示駆動部とを備えた携帯型情報機器であって、
前記表示駆動部は、
前記表示パネルの表示の書き換えを第１時間間隔で行う第１表示情報制御部と、
前記表示パネルの表示の書き換えを前記第１時間間隔よりも長い第２時間間隔で行う第２表示情報制御部とを備え、
通常表示モードでは、第２表示情報制御部によって前記表示パネルに第２表示情報を表示させ、
前記通常表示モードに比べて表示継続時間の短い短期表示モードでは、第１表示情報制御部によって前記表示パネルに第１表示情報を表示させることを特徴とする携帯型情報機器。
【請求項２】
請求項１に記載の携帯型情報機器において、
時刻を計時する計時部を備え、
前記第１表示情報は、前記計時部において計時されている計時情報に基づいて１分毎に表示を書き換える時刻情報であり、
前記第２表示情報は、前記計時部において計時されている計時情報に基づいて１日毎に表示を書き換えるカレンダー情報であることを特徴とする携帯型情報機器。
【請求項３】
請求項１に記載の携帯型情報機器において、
時刻を計時する計時部と、作業予定に関する作業情報を記憶する作業情報記憶部とを備え、
前記第１表示情報は、前記計時部において計時されている計時情報に基づいて１分毎に表示を書き換える時刻情報であり、
前記第２表示情報は、前記作業情報記憶部に記憶された作業情報を少なくとも１分よりも長い時間間隔で書き換えるＴｏＤｏリストであることを特徴とする携帯型情報機器。
【請求項４】
請求項１に記載の携帯型情報機器において、
時刻を計時する計時部を備え、
前記第１表示情報は、前記計時部において計時されている計時情報に基づいて１秒毎に表示を書き換える時刻情報であり、
前記第２表示情報は、前記計時部において計時されている計時情報に基づいて１分毎に表示を書き換える時刻情報であることを特徴とする携帯型情報機器。
【請求項５】
請求項１から請求項４のいずれかに記載の携帯型情報機器において、
入力操作を行う入力操作部と、この入力操作部による入力操作を検出する操作検出部とを備え、
前記表示駆動部は、前記操作検出部において表示切替操作を検出した場合に、表示パネルの表示モードを通常表示モードから短期表示モードに切り替えることを特徴とする携帯型情報機器。
【請求項６】
請求項１から請求項５のいずれかに記載の携帯型情報機器において、
時刻を計時する計時部と、予定に関する時刻情報を記憶する時刻情報記憶部を備え、
前記表示駆動部は、前記計時部において計時されている計時情報が、前記時刻情報記憶部に記憶された時刻情報の時刻になった場合に、表示パネルの表示モードを通常表示モードから短期表示モードに切り替えることを特徴とする携帯型情報機器。
【請求項７】
請求項１から請求項６のいずれかに記載の携帯型情報機器において、
前記表示駆動部は、表示パネルの表示モードが通常表示モードから短期表示モードに切り替えられてから所定時間経過後に、表示パネルの表示モードを短期表示モードから通常表示モードに切り替えることを特徴とする携帯型情報機器。
【発明の詳細な説明】
【技術分野】
【０００１】
本発明は、携帯型情報機器に関する。
【背景技術】
【０００２】
近年、ＥＰＤ（Electrophoretic Display＝電気泳動ディスプレイ）等のメモリ性を有する表示パネルが開発され、このメモリ性表示パネルに時刻を表示する表示装置が知られている（特許文献１参照）。
【０００３】
【特許文献１】特開２００６−２３４８１号公報
【発明の開示】
【発明が解決しようとする課題】
【０００４】
ところで、メモリ性を有する表示装置は、一定の表示を維持している場合には電力消費を少なくできるが、表示を書き換える際にはドライバの駆動やパネル動作などによって電力を消費する。
このため、メモリ性を有する表示装置において、例えば、時計表示機能を備えており、時分秒表示を行うと、毎秒ごとに表示の書換動作が必要となり、電力消費が増加する。
このため、腕時計のような携帯型情報機器においては、省電力化のために上記メモリ性表示装置を用いたとしても、結局、毎秒ごとの表示書換動作によって消費電力が増加し、メモリ性表示装置を使用する利点である省電力のメリットが無くなり、電池の長寿命化も図れないという問題があった。
【０００５】
本発明の目的は、メモリ性表示装置を利用した携帯型情報機器において、電力消費を低減できる携帯型情報機器を提供することにある。
【課題を解決するための手段】
【０００６】
本発明は、メモリ性を有する表示パネルと、この表示パネルの駆動を制御する表示駆動部とを備えた携帯型情報機器であって、前記表示駆動部は、前記表示パネルの表示の書き換えを第１時間間隔で行う第１表示情報制御部と、前記表示パネルの表示の書き換えを前記第１時間間隔よりも長い第２時間間隔で行う第２表示情報制御部とを備え、通常表示モードでは、第２表示情報制御部によって前記表示パネルに第２表示情報を表示させ、前記通常表示モードに比べて表示継続時間の短い短期表示モードでは、第１表示情報制御部によって前記表示パネルに第１表示情報を表示させることを特徴とする。
【０００７】
このような本発明によれば、通常表示モードでは、書換時間間隔が長い第２表示情報を表示させているので、書換動作によって消費される電力を減少でき、省電力化を図ることができる。また、例えばボタン操作などの所定操作が行われた場合や、予め決められた時刻になった場合に実行される短期表示モード（通常表示モードに比べてそのモードでの表示継続時間の短い表示モード）では、現在の時刻などの第１表示情報を表示させることで、現時刻なども容易に確認できる。そして、この第１表示情報は所定の操作時や所定時間のみの短時間の動作にでき、その後、通常表示モードに戻すことができるので、書換頻度が高い表示状態を短時間にでき、消費電力の増加を抑えることができる。
さらに、通常は第２表示情報が表示されていても、表示切替操作などによって短期表示モードに切り替われば第１表示情報を表示することができるので、利用者は２種類の情報を容易に確認することができ、携帯型情報機器の利便性も向上できる。
【０００８】
本発明は、時刻を計時する計時部を備え、前記第１表示情報は、前記計時部において計時されている計時情報に基づいて１分毎に表示を書き換える時刻情報であり、前記第２表示情報は、前記計時部において計時されている計時情報に基づいて１日毎に表示を書き換えるカレンダー情報であることが好ましい。
ここで、計時部とは、水晶振動子等の発振回路の発振パルスをカウントすることにより時刻を計時するクオーツ時計などにおいて用いられている一般的なものである。また、第１表示情報である１分毎に表示を書き換える時刻情報は、秒情報を含まない時刻情報を意味し、例えば、時分を表示するものである。このため、第１時間間隔は１分となる。
また。第２表示情報である前記カレンダー情報は、例えば、七曜表形式で表示される各月あるは各週の日付情報などであり、第２時間間隔は１日となる。
【０００９】
本発明は、時刻を計時する計時部と、作業予定に関する作業情報を記憶する作業情報記憶部とを備え、前記第１表示情報は、前記計時部において計時されている計時情報に基づいて１分毎に表示を書き換える時刻情報であり、前記第２表示情報は、前記作業情報記憶部に記憶された作業情報を少なくとも１分よりも長い時間間隔で書き換えるＴｏＤｏリストであることが好ましい。
ここで、作業情報（ＴｏＤｏリスト）は、今後にやるべき仕事やスケジュールを記録したものであり、期限やスケジュールの時間情報なども入力される。そして、ＴｏＤｏリストの書換頻度は、通常、１日毎程度である。すなわち、第２時間間隔は少なくとも１分よりも長く、通常は１日である。
【００１０】
このような各発明によれば、通常表示モードでは、カレンダー情報やＴｏＤｏリストなどの書換時間間隔が１日と長い第２表示情報を表示させているので、書換動作によって消費される電力を減少でき、省電力化を図ることができる。また、所定操作が行われた場合や、予め決められた時刻になった場合に実行される短期表示モードでは、時分などを表す時刻情報からなる第１表示情報を表示させているので現時刻なども容易に確認できる。そして、この第１表示情報は所定の操作時や所定時間のみの短時間の動作にでき、その後、通常表示モードに戻すことができるので、消費電力の増加を抑えることができる。
従って、本発明の携帯型情報機器は、通常は、カレンダー情報やＴｏＤｏリストを表示でき、一方、いつでも時刻情報を確認できるため、利用者が常に装着して利用する腕時計などに適している。
【００１１】
本発明は、時刻を計時する計時部を備え、前記第１表示情報は、前記計時部において計時されている計時情報に基づいて１秒毎に表示を書き換える時刻情報であり、前記第２表示情報は、前記計時部において計時されている計時情報に基づいて１分毎に表示を書き換える時刻情報であることが好ましい。
ここで、秒情報を含む第１表示情報は、例えば、秒のみを表示パネルに表示する時刻情報でもよいし、時分秒を表示する時刻情報でもよい。
【００１２】
このような本発明によれば、通常表示モードでは、時分情報を表示しているので、通常の時刻把握のための用途としては問題無く利用できる。一方、短期表示モードでは、秒情報を表示させているので、秒単位まで表示できてより正確な時刻を把握できる。
そして、通常は、秒まで表示する短期表示モードに比べて表示書換頻度が低い時分情報を表示する通常表示モードが実行されるため、書換頻度が高い状態を一時的なものにでき、消費電力の増加を抑えることができる。
【００１３】
本発明において、入力操作を行う入力操作部と、この入力操作部による入力操作を検出する操作検出部とを備え、前記表示駆動部は、前記操作検出部において表示切替操作を検出した場合に、表示パネルの表示モードを通常表示モードから短期表示モードに切り替えることが好ましい。
ここで、入力操作部とは、例えば、携帯型情報機器に設けられたボタンなどで構成される。また、操作検出部は、ボタンなどの入力操作部の操作を検出するセンサやスイッチなどで構成される。
【００１４】
入力操作部で表示切替操作が行われた場合に表示モードを切り替えるようにすれば、利用者が表示切替操作を行った場合に第１表示情報を表示し、それ以外は第２表示情報を表示するため、利用者は第１表示情報を確認したい場合にはいつでも第１表示情報を表示させることができて使い勝手を向上でき、かつ、表示切替操作を行わない限り、第２表示情報を表示し続けるために省電力化も図ることができる。
なお、短期表示モードから通常表示モードに戻すには、表示切替操作を再度行って戻してもよいし、通常表示モードから短期表示モードに切り替わってから所定時間経過後に自動的に戻してもよい。
【００１５】
本発明において、時刻を計時する計時部と、予定に関する時刻情報を記憶する時刻情報記憶部を備え、前記表示駆動部は、前記計時部において計時されている計時情報が、前記時刻情報記憶部に記憶された時刻情報の時刻になった場合に、表示パネルの表示モードを通常表示モードから短期表示モードに切り替えることが好ましい。
ここで、予定に関する時刻情報とは、例えば、携帯型情報機器にスケジュール情報が登録されている場合、そのスケジュールの開始時刻でもよいし、その開始時刻の１５分前などの予め設定された時刻や、仕事の時間に合わせて予め設定された時刻（例えば平日の午前８時３０分から午後５時３０分）などでもよく、利用者が設定できるようにしておくことが好ましい。
【００１６】
計時部の計時情報（例えば現時刻）が、時刻情報記憶部に記憶された時刻情報の時刻になった場合に、短期表示モードに切り替えれば、利用者が所定の操作を行わなくても自動的に表示を切り替えることができるので、操作性を向上できる。なお、短期表示モードから通常表示モードに戻すには、表示切替操作を再度行って戻してもよいし、通常表示モードから短期表示モードに切り替わってから所定時間経過後に自動的に戻してもよし、前記時刻情報記憶部に短期表示モードから通常表示モードに戻す時刻を記憶しておいて、その時刻になった際に自動的に戻してもよい。
【００１７】
ここで、前記表示駆動部は、表示パネルの表示モードが通常表示モードから短期表示モードに切り替えられてから所定時間経過後に、表示パネルの表示モードを短期表示モードから通常表示モードに切り替えることが好ましい。
短期表示モードに切り替えられた後、所定時間経過後に通常表示モードに戻すようにしていれば、自動的に低消費電力のモードに戻すことができ、操作性を向上できるとともに、電力消費を確実に低減できる。
【発明の効果】
【００１８】
以上の本発明によれば、メモリ性を有する表示パネルを利用した携帯型情報機器において消費電力を低減することができる。
【発明を実施するための最良の形態】
【００１９】
〔第１実施形態〕
図１は、本実施形態の携帯型情報機器である腕時計１の正面図である。腕時計１は、時計ケース（ケース）２と、この時計ケース２に取り付けられた一対のバンド３とを備える。バンド３は、腕時計１の装着時にユーザの手首に巻き付けて固定される。
時計ケース２は略円盤形状をなしており、一方側の面に時刻表示窓（窓）４が開口している。以下の説明においては、時刻表示窓４が開口する側を表、その反対側を裏とする。
【００２０】
時刻表示窓４には表示パネル５が配設され、さらに、表示パネル５を覆うように風防ガラス（風防）が嵌め込まれている。
表示パネル５は、後述するように表示保持性（メモリ性）を有する表示パネルであり、時刻や日付等の情報の表現および装飾を目的として、文字および模様を含む各種の画像（以下、単に画像と呼ぶ）を表示する。本実施形態では、メモリ性を有する表示パネル５として、電気泳動粒子を用いた電気泳動ディスプレイを用いた場合を例に挙げて説明する。
時計ケース２の側面には、動作モードの変更や時刻修正等の各種操作を行うための入力操作部として複数のボタン６が配設されている。
【００２１】
表示パネル５は、アクティブマトリクス表示方式のマイクロカプセル型の電気泳動表示デバイスを有する公知の表示パネルである。すなわち、表示パネル５は、電気泳動分散液が封入された複数のマイクロカプセルを備えている。電気泳動分散液には、プラスに帯電した黒色粒子、およびマイナスに帯電した白色粒子が混合されている。そして、マイクロカプセルを挟んで配置された各電極の電圧を制御することで、マイクロカプセル内の各粒子を移動させて、表示パネル５の表示を制御している。
【００２２】
前記ケース２内には、表示パネル５の駆動を制御する駆動回路部４０が設けられている。図２に示すように、駆動回路部４０は、ケース２内に設けられる電池（電源）４１に電気的に接続され、この電源４１から供給される電力で駆動される。
【００２３】
図２は、駆動回路部４０の電気的構成を示す。駆動回路部４０は、駆動制御部６１と表示駆動部６２とを有する。
駆動制御部６１は、表示駆動部６２に対する入出力を行う入出力部６１１と、計時情報を取得する計時部６１２と、電源４１からの電力供給を制御する電圧制御部６１３と、ボタン６の操作検出を行う操作検出部６１４と、これらの各部６１１〜６１４の動作を制御する制御部６１５とを有する。
【００２４】
計時部６１２は、図示しない発振回路の発振パルスをカウントすることにより時刻を計時するものであり、この計時部６１２は、入出力部６１１を介して表示駆動部６２と接続されている。
また、表示駆動部６２は、表示パネル５を制御する駆動信号を表示パネル５に供給する。ここで、表示駆動部６２は、表示パネル５に第１表示情報を表示させる第１表示情報制御部６２１と、第２表示情報を表示させる第２表示情報制御部６２２とを備える。
【００２５】
次に、このような構成の腕時計１の駆動回路部４０における表示制御について、図３のフローチャートも用いて説明する。
駆動回路部４０は、まず、表示駆動部６２の第２表示情報制御部６２２によって第２表示情報を表示する（ステップＳ１）。ここで、第２表示情報は、ボタン６の操作などによって予め設定されており、本実施形態では、図４に示すカレンダー情報７０が設定されている。
【００２６】
図４に示すように、本実施形態のカレンダー情報７０は、各月の日を七曜表形式で配列したものである。そして、月曜日から土曜日までは背景が白地とされて各日の数字は黒表示されているが、日曜日は反転して背景が黒地で数字が白表示とされている。
また、本日の日付を四角の枠７１で囲み、本日の日付を直感的に把握できるようにしている。この枠７１は１日毎に移動表示されるため、カレンダー情報７０は少なくとも１日毎に書換表示が必要となる。すなわち、第２表示情報であるカレンダー情報７０を書き換える第２時間間隔は１日である。
【００２７】
駆動制御部６１の操作検出部６１４は、利用者がボタン６を操作したかを常時検出している（ステップＳ２）。
ステップＳ２において、ボタン６の所定操作が行われなければ、表示駆動部６２は第２表示情報制御部６２２による第２表示情報つまりカレンダー情報７０の表示を継続する（ステップＳ１）。従って、腕時計１を装着した利用者は、常時、カレンダー情報７０を確認することができる。
【００２８】
一方、制御部６１５は、操作検出部６１４において所定の入力操作があったことが検出されると、入出力部６１１を介して表示駆動部６２に制御信号を送信する。
表示駆動部６２は、所定の入力操作に基づく制御信号を受けると、第１表示情報制御部６２１によって表示パネル５に第１表示情報を表示する（ステップＳ３）。
ここで、第１表示情報も予め設定されており、本実施形態では、図１に示す時刻情報５０が設定されている。
【００２９】
図１に示すように、本実施形態の時刻情報５０は、本日の月情報５１および日情報５２と、現在の時情報５３および分情報５４とを表示するように設定されている。
従って、時刻情報５０は、少なくとも分情報５４が１分毎に書き換わるため、第１表示情報である時刻情報５０を書き換える第１時間間隔は１分である。すなわち、第１時間間隔（１分）に比べて第２時間間隔（１日）が長くなるように第１および第２の各表示情報が設定されている。
【００３０】
表示駆動部６２は、第１表示情報制御部６２１によって第１表示情報が表示された後（ステップＳ３）、第１表示情報の解除の状態になったかを判定する（ステップＳ４）。そして、表示駆動部６２は、ステップＳ４において解除状態と判定がされるまで第１表示情報の表示（ステップＳ３）を継続し、解除状態と判定されると第２表示情報制御部６２２による第２表示情報（カレンダー情報７０）の表示に切り替える。
【００３１】
ここで、ステップＳ４における解除状態の判定条件は、実施にあたって適宜設定できる。例えば、本実施形態では、利用者が所定のボタン６を押している間は第１表示情報を表示し続け、ボタン６を戻すと第１表示情報の表示を解除し、第２表示情報を表示するように構成されている。
なお、上記判定条件としては、例えば、利用者が所定のボタン６を押した後、所定時間だけ第１表示情報を表示し、所定時間経過後に第２表示情報に戻すようにしてもよい。この際、前記所定時間としては、例えば、数秒から数分程度や、数分から１時間程度などの範囲内で設定すればよい。そして、この所定時間は予め利用者が設定しておいてもよいし、前記所定のボタン６を押した際に、利用者が適宜選択できるようにしてもよい。
【００３２】
このような本実施形態によれば、次のような効果が得られる。
（１）腕時計１において、通常は、第２表示情報であるカレンダー情報７０を表示しているので、１日（第２時間間隔）経過するまでは表示を維持することができる。このため、表示を書き換えない限り電力消費を抑えることができるというメモリ性を有する表示パネル５の特性を最大限に生かすことができ、省電力化を図ることができる。
従って、腕時計１という省電力が求められる携帯型情報機器において、消費電力をより低くできるので、電池寿命の長い製品にできる。
また、省電力化できるので、その分、電池を小型化できてコンパクトな時計にすることもでき、腕時計１のデザイン自由度が高まるために魅力ある商品を提供できる。
さらに、時刻情報以外の情報も表示できるため、コンテンツリッチな仕様にすることもでき、この点でも魅力ある商品を提供できる。
【００３３】
（２）利用者によってボタン６が操作されると、表示パネル５の表示を第１表示情報である時刻情報５０の表示に切り替えることができる。このため、利用者は、時刻を確認したいときには、直ちに表示を切り替えて確認できるので、通常時にカレンダー情報７０が表示されていても時計としての利便性が低下することを防止できる。
【００３４】
（３）さらに、第１表示情報の解除条件として、ボタン６を押している間、時刻情報５０を表示するように設定されている場合には、利用者が時間を確認したい間のみ時刻情報５０を表示し、それ以外は時刻情報５０の表示に比べて電力消費の少ないカレンダー情報７０に戻すことができるので、利用者の利便性を図りつつ、消費電力を最小限に抑えることができる。
一方、第１表示情報の解除条件として、ボタン６を押した後、所定時間経過するまでの間のみ時刻情報５０を表示するように設定されている場合には、時刻情報５０を表示するために利用者がボタン６を押し続ける必要がなく、自動的に表示を元に戻すことができるため、操作性を向上できる。
【００３５】
［第２実施形態］
次に、本発明の第２実施形態について説明する。なお、以下に説明する各実施形態において、前述する各実施形態と同一または同様の構成には同一符号を付し、説明を省略または簡略する。
前記第１実施形態は、第２表示情報としてカレンダー情報７０を設定していたが、第２実施形態は、図５に示すように、第２表示情報としてＴｏＤｏリスト８０を設定したものである。
【００３６】
ＴｏＤｏリスト８０は、今後にやるべき仕事やスケジュールを記録したものであり、期限やスケジュールの時間情報なども適宜入力されている。なお、第２実施形態の腕時計１も図２に示す駆動回路部４０を備えている。そして、制御部６１５には、前記ＴｏＤｏリスト８０に表示するため、作業予定に関する作業情報を記憶する作業情報記憶部が設けられている。
そして、ＴｏＤｏリスト８０は、利用者によってリストが更新されるまでの間は同じリストを表示し続けることになるため、その書換時間間隔は一定時間間隔ではないが、少なくとも時刻情報５０の書換時間間隔（第１時間間隔）である１分よりは長くなる。すなわち、作業リストは、通常、１日毎に見直して更新するため、ＴｏＤｏリスト８０の書換時間間隔は通常は１日以上である。
【００３７】
このような本実施形態では、駆動回路部４０は、図６に示すように、前記第1実施形態とほぼ同じ制御フローで表示パネル５を制御する。但し、ステップＳ２でボタン入力が無かった場合には、駆動制御部６１は、ＴｏＤｏリスト８０に記録されたスケジュールの開始時刻の所定時間前、例えば１５分前になったかを確認する（ステップＳ５）。すなわち、制御部６１５は、前記作業情報記憶部に記憶された予定開始時間の所定時間前（本実施形態では１５分前）の時刻を記憶する時刻情報記憶部を備えている。そして、制御部６１５は、計時部６１２の計時時刻が前記時刻情報記憶部の時刻になったかを確認し、同じ時刻になった場合には、第１表示情報への切替用の制御信号を表示駆動部６２に出力する。
そして、表示駆動部６２は、ステップＳ５で所定時間前になったと判定されて前記切替用の制御信号が入力された場合には、第１表示情報の表示処理を行う（ステップＳ３）。一方、ステップＳ５で所定時間前になっていないと判定された場合には、表示駆動部６２は第２表示情報の表示処理を継続する（ステップＳ１）。
【００３８】
そして、第１表示情報の表示処理（ステップＳ３）を行っている際に、第１表示情報の表示解除状態になった場合（ステップＳ４）には、表示駆動部６２は第２表示情報制御部６２２に実行して第２表示情報の表示処理に戻る。
ここで、ステップＳ５において、スケジュール開始時刻の所定時間前になったことで第１表示情報の表示処理が行われた場合には、第１表示情報の表示処理に切り替わってから所定時間（例えば1時間）経過したら表示解除状態になったと判定すればよい。
また、所定のボタン６を操作することで表示解除状態にして第２表示情報の表示処理に戻してもよい。
【００３９】
このような本実施形態においても前記第１実施形態と同様の作用効果を奏することができる。
すなわち、腕時計１において、通常は、第２表示情報であるＴｏＤｏリスト８０を表示しているので、時刻情報５０を表示し続ける場合に比べて電力消費を抑えることができ、前記第１実施形態と同様の作用効果を奏することができる。
【００４０】
（４）さらに、第２表示情報としてＴｏＤｏリスト８０を表示するようにしており、かつ、通常はこのＴｏＤｏリスト８０が腕時計１に表示されるため、利用者は今後やらなければならない仕事を確実に把握することができ、仕事を効率的に処理することができる。
そして、一般的な腕時計１では表示されていないＴｏＤｏリスト８０を表示できるので、腕時計１に表示できるコンテンツが増えて新たな付加価値を加えることができ、魅力ある商品を提供することができる。
【００４１】
［第３実施形態］
次に、本発明の第３実施形態について説明する。
前記第１，２実施形態は、第１表示情報として時分まで表示する時刻情報５０を設定し、第２表示情報としてカレンダー情報７０、ＴｏＤｏリスト８０を設定していたが、第３実施形態は、図１に示す時分まで表示する時刻情報５０を第２表示情報とし、図７に示す時分秒まで表示する時刻情報５５を第１表示情報に設定したものである。
【００４２】
すなわち、時刻情報５０は、分情報５４まで表示し、秒情報は表示しないため、その書換時間間隔（第２時間間隔）は１分となる。一方、時刻情報５５は、秒情報５６まで表示するため、その書換時間間隔（第1時間間隔）は1秒となり、第２時間間隔よりも短くなる。
【００４３】
この第３実施形態においても、図２の駆動回路部４０を備え、かつ、図３に示す制御フローによって表示が制御される。すなわち、通常は、第２表示情報である時刻情報５０が表示される（ステップＳ１）。一方、利用者がボタン６を操作すると（ステップＳ２）、第１表示情報である時刻情報５５が表示される（ステップＳ３）。この時刻情報５５は、秒情報５６まで表示しており、ボタン６が押し続けられている間や、ボタン６が押されてから所定時間経過するまで表示される。そして、第１表示情報の表示解除状態になると（ステップＳ４）、第２表示情報である時刻情報５０の表示に戻る。
【００４４】
このような本実施形態においても前記第１実施形態と同様の作用効果を奏することができる。
すなわち、腕時計１において、通常は、分情報５４まで表示するために１分毎に表示が書き換えられる時刻情報５０を表示しているので、秒情報５６まで表示するために１秒毎に表示が書き換えられる時刻情報５５を表示する場合に比べて電力消費を抑えることができ、前記第１実施形態と同様の作用効果を奏することができる。
【００４５】
（５）さらに、利用者は、ボタン６を操作することで、いつでも時刻情報５５の表示に切り替えることができ、秒情報５６も容易に確認できる。
このため、特に、標準電波、ＧＰＳ衛星からの電波、携帯電話の電波などの時刻情報を含む電波を受信して、時刻修正を行う電波時計では、必要な場合に、時刻情報５５を表示させることで、電波受信による時刻修正が正確に行われたか否かを利用者が容易に確認できる。従って、通常は、時刻情報５０を表示させることで省電力化を図りつつ、必要に応じて時刻情報５５を表示させて、時刻表示の正確性を確認できる電波腕時計を提供することができる。
【００４６】
〔実施形態の変形〕
なお、本発明は前述の実施形態に限定されるものではなく、本発明の目的を達成できる範囲での変形、改良等は本発明に含まれるものである。
第２表示情報の表示処理（ステップＳ１）から第１表示情報の表示処理（ステップＳ３）に切り替える条件としては、前述したボタン６が操作された場合や、スケジュール開始時刻に応じて設定された時刻になった場合に限定されず、各表示情報の種類などに応じて適宜設定すればよい。例えば、利用者が設定した時間帯（平日の午前８時３０分から午後５時３０分等）には第２表示情報として時刻情報５０を表示し、それ以外の時間帯には第１表示情報としてカレンダー情報７０やＴｏＤｏリスト８０等を表示するようにしてもよい。また、利用者が設定したタイミング（例えば平日の午後５時等）には第２表示情報として時刻情報５０を表示し、第２表示情報を表示してから所定時間経過後に第１表示情報の表示に自動的に戻るようにしてもよい。
【００４７】
さらに、表示パネル５としては、前記実施形態のように、白黒二粒子系の電気泳動表示デバイスを用いたものに限らず、着色された液体中に他の色（黒や白など）の帯電粒子を混合させた一粒子系の電気泳動表示デバイスを利用してもよい。
また、表示パネル５としては、電気泳動ディスプレイに限らず、他のメモリ性を有するディスプレイでもよい。例えば、ＥＣＤ（Electrochromic Display＝エレクトロクロミックディスプレイ）、強誘電性液晶ディスプレイ、コレステリック液晶ディスプレイ等が利用できる。
【００４８】
前記表示パネル５は、駆動電極がアクティブマトリクス型のものであったが、セグメント電極を用いたセグメント型のものでもよい。すなわち、カレンダー情報７０やＴｏＤｏリスト８０はアクティブマトリクス型でないと表示できないが、第３実施形態のように、時刻情報のみを表示する場合にはセグメント型の表示タイプを利用できる。
すなわち、図８に示すように、時情報５３および分情報５４を表示するセグメント電極を形成しておき、通常は第２表示情報として時分のみを表示する。一方、ボタン６の操作などが行われた際に、第１表示情報として秒を表示する。この際、図８のように数字桁が４桁しかなく、時分秒を全て表示できない場合は、第１表示情報では例えば分情報５４部分を利用して秒のみを表示すればよい。
【００４９】
さらに、第１および第２の各表示情報としては、前記各実施形態に記載したものに限らず、実施にあたって適宜設定すればよい。
例えば、通常表示モードで表示される第２表示情報としては、利用者が登録した画像（例えば、風景、ペット、家族の写真など）を表示させてもよい。このような画像情報は、腕時計１を有線あるいは無線でパーソナルコンピュータに接続し、このコンピュータからデータを送信して時計１内の記憶部に記憶させることでなどで時計１に登録すればよい。
また、第１表示情報を、時刻情報５０および時刻情報５５から利用者が選択できるように設定してもよい。さらに、第２表示情報を、カレンダー情報７０、ＴｏＤｏリスト８０、時刻情報５０から利用者が選択できるように設定してもよい。但し、第２表示情報に時刻情報５０を選択できるのは、第１表示情報に時刻情報５５を選択した場合のみである。
【００５０】
さらに、本発明は、前記各実施形態のような腕時計に限らず、懐中時計などにも適用可能である。また、時計以外の各種電子機器にも広く適用でき、例えば、ＰＤＡ（Personal Digital Assistants）や、携帯電話、ディジタルカメラ、ビデオカメラなどの各種の携帯型情報機器に利用できる。
【図面の簡単な説明】
【００５１】
【図１】本発明の第１実施形態における第1表示情報を表示した腕時計の外観図。
【図２】前記実施形態における腕時計の駆動回路部の構成を示すブロック図。
【図３】前記実施形態における表示駆動部の動作を説明するフローチャート。
【図４】前記実施形態における第２表示情報を表示した腕時計の外観図。
【図５】本発明の第２実施形態における第２表示情報を表示した腕時計の外観図。
【図６】第２実施形態における表示駆動部の動作を説明するフローチャート。
【図７】本発明の第３実施形態における第１表示情報を表示した腕時計の外観図。
【図８】本発明の変形例である腕時計の外観図。
【符号の説明】
【００５２】
１…腕時計、５…表示パネル、６…ボタン、４０…駆動回路部、４１…電源、５０…時刻情報、５１…月情報、５２…日情報、５３…時情報、５４…分情報、５５…時刻情報、５６…秒情報、６１…駆動制御部、６２…表示駆動部、７０…カレンダー情報、８０…ＴｏＤｏリスト、６１２…計時部、６１４…操作検出部、６１５…制御部、６２１…第１表示情報制御部、６２２…第２表示情報制御部。
【図１】
2008157889.tif 000003
【図２】
2008157889.tif 000004
【図３】
2008157889.tif 000005
【図４】
2008157889.tif 000006
【図５】
2008157889.tif 000007
【図６】
2008157889.tif 000008
【図７】
2008157889.tif 000009
【図８】
2008157889.tif 000010